(57)【要約】【目的】室内などのデッドスペースを有効活用できて設置が容易な一体形エアコンを得る。【構成】細長箱状のケーシング１内を先端側と基端側に分割して排気送風路Ｂと給気送風路Ａを形成する。ケーシング１の先端部に排気口３を形成するとともにケーシング１の基端部に給気口５を形成する。ケーシング１の胴部に外気取入口４と還気取入口２を形成し、給気送風路Ａに蒸発器６と再熱器７と給気ファン８を設け、排気送風路Ｂに凝縮器９と排気ファン１０を設ける。還気取入口２から取入れた還気と外気取入口４から取入れた外気を凝縮器９を介して排気口３へ導くように排気口３と外気取入口４と還気取入口２とを排気送風路Ｂと連通連結する。外気取入口４から取入れた外気と還気取入口２から取入れた還気を蒸発器６を介して給気口５へ導くように給気口５と外気取入口４と還気取入口２とを給気送風路Ａと連通連結する。【請求項２】【選択図】　　　　図２
2004144335.tif 000002
【特許請求の範囲】
【請求項１】
細長箱状のケーシング１内を先端側と基端側に分割して排気送風路Ｂと給気送風路Ａを形成し、前記ケーシング１の先端部に排気口３を形成するとともに前記ケーシング１の基端部に給気口５を形成し、前記ケーシング１の胴部に外気取入口４と還気取入口２を形成し、前記給気送風路Ａに蒸発器６と再熱器７と給気ファン８を設け、前記排気送風路Ｂに凝縮器９と排気ファン１０を設け、前記還気取入口２から取入れた還気と前記外気取入口４から取入れた外気を前記凝縮器９を介して前記排気口３へ導くようにこの排気口３とこの外気取入口４とこの還気取入口２とを前記排気送風路Ｂと連通連結し、前記外気取入口４から取入れた外気と前記還気取入口２から取入れた還気を前記蒸発器６を介して前記給気口５へ導くようにこの給気口５とこの外気取入口４とこの還気取入口２とを前記給気送風路Ａと連通連結したことを特徴とする一体形エアコン。
【請求項２】
吹出位置移動自在な送風用ホース１１を、給気口５に接続した請求項１記載の一体形エアコン。
【請求項３】
給気送風路Ａの還気の風量制御と排気送風路Ｂの外気の風量制御を行うダンパ機構１２、又は、給気送風路Ａの外気と還気の風量制御と排気送風路Ｂの外気と還気の風量制御を行うダンパ機構、を設けた請求項１又は２記載の一体形エアコン。
【請求項４】
蒸発器６と凝縮器９と再熱器７の各々のフィンチューブを楕円管にした請求項１、２又は３記載の一体形エアコン。
【発明の詳細な説明】
【０００１】
【発明の属する技術分野】
本発明は一体形エアコンに関する。
【０００２】
【従来の技術】
【特許文献１】特開２００２−２４３２６０号公報
従来の縦型のエアコンは上記文献にあるように室内機と室外機を前後に分割してある。
【０００３】
【発明が解決しようとする課題】
そのため、大きな設置面積が必要で設置場所が限定される問題がある。そこで、これらの問題点を解決する一体形エアコンを提供することを目的とする。
【０００４】
【課題を解決するための手段】
上記目的を達成するために、本発明の一体形エアコンは、細長箱状のケーシング内を先端側と基端側に分割して排気送風路と給気送風路を形成し、前記ケーシングの先端部に排気口を形成するとともに前記ケーシングの基端部に給気口を形成し、前記ケーシングの胴部に外気取入口と還気取入口を形成し、前記給気送風路に蒸発器と再熱器と給気ファンを設け、前記排気送風路に凝縮器と排気ファンを設け、前記還気取入口から取入れた還気と前記外気取入口から取入れた外気を前記凝縮器を介して前記排気口へ導くようにこの排気口とこの外気取入口とこの還気取入口とを前記排気送風路と連通連結し、前記外気取入口から取入れた外気と前記還気取入口から取入れた還気を前記蒸発器を介して前記給気口へ導くようにこの給気口とこの外気取入口とこの還気取入口とを前記給気送風路と連通連結した。さらに、吹出位置移動自在な送風用ホースを、給気口に接続した。さらに、給気送風路の還気の風量制御と排気送風路の外気の風量制御を行うダンパ機構、又は、給気送風路の外気と還気の風量制御と排気送風路の外気と還気の風量制御を行うダンパ機構、を設けた。さらに、蒸発器と凝縮器と再熱器の各々のフィンチューブを楕円管にした。
【０００５】
【発明の実施の形態】
図１と図２は、本発明の一体形エアコンの一実施例を示しており、このエアコンは、ケーシング１内に、冷媒循環回路１３と、給気送風路Ａと、排気送風路Ｂと、給気送風路Ａの還気の風量制御と排気送風路Ｂの外気の風量制御を行うダンパ機構１２と、を備えており、細長箱状のケーシング１内を先端側と基端側に分割して排気送風路Ｂと給気送風路Ａを形成する。このケーシング１の先端部に排気口３を形成するとともにケーシング１の基端部に給気口５を形成し、ケーシング１の胴部の適宜面（例えば対向面又は隣接面）に外気取入口４と還気取入口２を形成する。
【０００６】
給気送風路Ａには蒸発器６と再熱器７と給気ファン８を設け、排気送風路Ｂに凝縮器９と排気ファン１０を設ける。還気取入口２から取入れた還気と外気取入口４から取入れた外気を凝縮器９を介して排気口３へ導くように排気口３と外気取入口４と還気取入口２を排気送風路Ｂと連通連結し、外気取入口４から取入れた外気と還気取入口２から取入れた還気を蒸発器６を介して給気口５へ導くように給気口５と外気取入口４と還気取入口２を給気送風路Ａと連通連結し、吹出位置移動自在な送風用ホース１１を、給気口５に接続する。このホース１１を室内の任意の場所へ持ち運んだりして、室内全体を空調したり、室内を局所的に空調する。排気口３と外気取入口４はダクトやがらり等を介して屋外に通じさせる。実線及び点線の白抜き矢印は風向を示す。
【０００７】
冷媒循環回路１３は、蒸発器６、凝縮器９、再熱器７、圧縮機１４、図示省略の受液器、膨張弁及び冷媒循環方向の正逆の切換弁等を配管接続して成り、蒸発器６及び凝縮器９の吸熱と放熱を切換自在に構成する。再熱器７は蒸発器６の風下に設け、凝縮器９に流れる冷媒（ホットガス）の一部を再熱器７にバイパスさせて過冷却・除湿・再熱自在に構成する。蒸発器６と凝縮器９と再熱器７の各々のフィンチューブは楕円管にするのが好ましいが円形管でもよい。
【０００８】
給気送風路Ａと排気送風路Ｂは直線状に配置し、蒸発器６及び再熱器７の風下に吸込式の給気ファン８を設けるとともに凝縮器９の風下に吸込式の排気ファン１０を設け、凝縮器９の風上に圧縮機１４や受液器などの冷媒循環回路１３の部品を設ける。排気ファン１０、凝縮器９、圧縮機１４、蒸発器６、再熱器７、給気ファン８は直線状に配置して細長状のケーシング１内に収めてコンパクト化を図る。なお、蒸発器６、再熱器７、給気ファン８、凝縮器９、排気ファン１０、圧縮機１４などの配置は図例以外のものとするも自由である。冷媒循環回路１３は、図示省略のフレームなどに一体に設けて、ケーシング１に対して取出・収納自在に構成するも自由であり、ケーシング全体を取り外すことなく冷媒循環回路１３のみをケーシング１から取出して冷媒回収作業やメンテナンスを容易に行え、取付け収納にも手間がかからない。また、冷媒循環回路１３だけ交換することにより、リニューアル時のコストダウンも図れる。
【０００９】
ケーシング１には、還気取入口２から蒸発器６への還気風量を制御するダンパ１５と、外気取入口４から凝縮器９への外気風量を制御するダンパ１６と、を設けてダンパ機構１２を構成し、各種の運転制御装置等により風量制御を行う。各ダンパ１５、１６は、全閉・全開切換のみ又は任意風量可変自在の何れの構造であってもよい。なお、図示省略するが、例えば還気取入口２から凝縮器９への還気風量を制御するダンパと、外気取入口４から蒸発器６への外気風量を制御するダンパを設けて、給気送風路Ａの外気と還気の風量制御と排気送風路Ｂの外気と還気の風量制御を行うダンパ機構としてもよい。
【００１０】
このエアコンの運転例を説明すると、換気冷暖房運転では、還気取入口２からの還気と外気取入口４からの外気を所定割合で混合して蒸発器６で熱交換し、冷風又は暖風を給気口５から給気し、同時に還気取入口２からの還気と外気取入口４からの外気で凝縮器９の循環冷媒を熱交換して吸熱又は放熱し、排熱回収しつつ排気口３から屋外へ室内空気を所定量排気する。
【００１１】
過冷却・除湿・再熱運転では、給気送風路Ａの空気を蒸発器２で過冷却・除湿した後、再熱器７で再熱していわゆるドライエアーを給気し、排気送風路Ｂの空気で凝縮器９の循環冷媒を熱交換し屋外へ排気する。このとき、再熱のために別個に加熱源が不要でかつ凝縮器負荷が下がり省エネとなる。なお過冷却・除湿する空気は、還気のみ、外気のみ、還気と外気の混合空気、の何れであっても良い。換気運転及び外気冷房運転では、圧縮機１４を止めてダンパ１５とダンパ１６を全閉し、外気のみを室内へ給気し還気のみを屋外へ排気する。なお、図例ではエアコンを壁の屋内側に設置しているが屋外側に設置するも自由で、給気口５とホース１１の数の増減は自由である。また図例のように排気口３が上で給気口５が下になるようにケーシング１を直立設置すれば床に送風用ホースを容易にもっていけるが、給気送風路Ａと排気送風路Ｂを上下逆にして（例えば上から下へ給気ファン８、再熱器７、蒸発器６、圧縮機１４、凝縮器９、排気ファン１０の順に配置して）排気口３が下で給気口５が上になるようにケーシング１を直立設置するも自由である。また、ケーシング１の胴部を横倒状にして設置するも自由である。
【００１２】
【発明の効果】
請求項１の発明では、一体形で細長状なので設置面積をとらずにすみ、室内などのデッドスペースを有効活用でき、柱面などの幅の狭い場所などの設置に最適である。１台の一体形エアコンで、換気冷暖房運転、外気冷房運転、換気運転、過冷却・除湿・再熱運転などの全空調運転ができる。給気送風路への外気取入と排気送風路への外気取入を一つの外気取入口で共用できかつ給気送風路への還気取入と排気送風路への還気取入を一つの還気取入口で共用できるので、部品点数が減少しコンパクト化とコスト削減を図れ施工が容易となる。
請求項２の発明では、送風用ホースの吹出位置を自由に変えて、局所的に空調したり、床面や床下に風を吹出して床材や床下空間を熱媒体や蓄熱体にした空調や、アンダーフロア空調など各種方式の空調に容易に変更・対応できる。
請求項３の発明では、換気運転の際、還気を給気送風路に取入れずに外気のみを給気し、外気を排気送風路に取入れずに還気のみを排気できるので、余分な動力を使わずにすみ、省エネを図れる。また、給気送風路の外気と還気の風量制御と排気送風路の外気と還気の風量制御を行うダンパ機構とすれば、蒸発器で熱交換をしながら還気のみを室内とエアコンの間で循環させてウォーミングアップ運転も行える。
請求項４の発明では、圧力損失が減少して熱交換効率が向上するので小型のファンを用いることができ騒音低減を図れる。蒸発器と凝縮器と再熱器も小型化できエアコンをコンパクト化できる。
【図面の簡単な説明】
【図１】本発明の一実施例を示す正面図である。
【図２】図１の側面図である。
【符号の説明】
１　　ケーシング
２　　還気取入口
３　　排気口
４　　外気取入口
５　　給気口
６　　蒸発器
７　　再熱器
８　　給気ファン
９　　凝縮器
１０　排気ファン
１１　ホース
１２　ダンパ機構
１３　冷媒循環回路
Ａ　　給気送風路
Ｂ　　排気送風路
【図１】
2004144335.tif 000003
【図２】
2004144335.tif 000004